(57)【要約】      （修正有）【課題】従来のまな板シートでは、まな板からまな板シートを剥がすための工夫がなされていないために、まな板面からまな板シートを剥がす際には手間を要することが多い。まな板からの取り剥がしの容易化を実現可能なまな板シートを提供する。【解決手段】その周縁に丸みを帯びた複数の突起部４、４Ａ、４Ｂが形成された柔軟性を有するシート本体２と、このシート本体２に開口された所定大きさの穴部３とを備える。【選択図】図１
2013039263.tif 000002
【特許請求の範囲】
【請求項１】
その周縁に丸みを帯びた複数の突起部が形成された柔軟性を有するシート本体と、
該シート本体に開口された所定大きさの穴部とを備える
まな板シート。
【請求項２】
前記シート本体の少なくとも一方の面に印刷された定規部を備える
請求項１に記載のまな板シート。
【請求項３】
前記穴部が前記シート本体の上方、あるいは下方に配置された
請求項１または請求項２に記載のまな板シート。
【請求項４】
前記穴部が１人分の食材が挿通可能な内径を有する
請求項１、請求項２または請求項３に記載のまな板シート。
【請求項５】
前記シート本体が縦長楕円形状とされ、かつ、その上端中央及びその両側端に丸みを帯びた突起部が形成されると共に、その下端両側端に丸みを帯びた突起部が形成された
請求項１、請求項２、請求項３または請求項４に記載のまな板シート。
【発明の詳細な説明】
【技術分野】
【０００１】
本発明はまな板シートに関する。詳しくは、例えば、まな板上を覆って利用するまな板シートに係るものである。
【背景技術】
【０００２】
魚介類や肉類を直接まな板に載せて切込みを行う場合や、野菜その他の食材で生臭い臭気や脂気が付いてはいけない食材の切込みを行う場合には、その都度まな板をよく洗わなければならなかった。
【０００３】
そこで、食材が異なるごとにまな板を洗うことがないように、まな板上を覆う薄型のまな板シートが開発されている。
従来、この種のまな板シートとして、例えば特許文献１に記載されたものが知られている。
【０００４】
具体的には、特許文献１に記載されたまな板シートは、図５に示すように、熱可塑性合成樹脂からなるシート本体１０１の片面に、食材が滑りにくいように、凹凸や網目のすべり止め部１０２が設けられている。
【０００５】
また、まな板面に接するシート本体１０１の逆側面に、シート本体１０１が滑りにくいように、凹凸や網目のすべり止め部１０３が設けられている。
【先行技術文献】
【特許文献】
【０００６】
【特許文献１】特開２０００−３１６７３４号公報
【発明の概要】
【発明が解決しようとする課題】
【０００７】
しかしながら、上述した特許文献１に記載されたまな板シートを含め、従来のまな板シートでは、まな板からまな板シートを剥がすための工夫がなされていないために、まな板面からまな板シートを剥がす際には手間を要することが多い。
【０００８】
また、まな板シートの角部分から剥がそうとする際に、まな板シートの角で指を傷つけることがある。
【０００９】
本発明は、以上の点に鑑みて創案されたものであって、まな板から容易に剥がせるまな板シートを提供することを目的とするものである。
【課題を解決するための手段】
【００１０】
上記の目的を達成するために、本発明に係るまな板シートは、その周縁に丸みを帯びた複数の突起部が形成された柔軟性を有するシート本体と、該シート本体に開口された所定大きさの穴部とを備える。
【００１１】
ここで、シート本体にその周縁に丸みを帯びた複数の突起部が形成されたことによって、手で突起部を取り易くなり、シート本体を容易にまな板から剥がすことが可能となる。
【００１２】
また、シート本体に所定大きさの穴部を開口することによって、例えばキッチン回りのフックに吊下げることが可能となる。更に、所定大きさの穴部を、例えば、「１人分のパスタが挿通可能な内径」とした場合には、穴部にパスタを挿通することで、容易にパスタの分量を正確に量ることができる。
【００１３】
また、シート本体の少なくとも一方の面に定規を印刷した場合には、極めて容易に尺度に合せて食材を正確に切り分けることができる。
【００１４】
更に、穴部がシート本体の上方、あるいは下方に配置された場合には、食材を切り分ける作業を支障なく行えると共に、安定した状態で吊り下げることができる。
【００１５】
また、シート本体が縦長楕円形状とされ、かつ、その上端中央及びその両側端に丸みを帯びた突起部が形成されると共に、その下端両側端に丸みを帯びた突起部が形成された場合には、いわゆる郵便ポストの様な形状が実現し、宣伝用、あるいは装飾用としての活用が期待できる。
【発明の効果】
【００１６】
本発明のまな板シートでは、まな板から容易に剥がすことが可能であり、まな板から剥がす際に指を傷つけることもない。
【図面の簡単な説明】
【００１７】
【図１】本発明を適用したまな板シートの一例を説明するための平面模式図である。
【図２】本発明を適用したまな板シートの使用状態の一例を説明するための平面模式図である。
【図３】パスタの計量を説明するための模式図である。
【図４】本発明を適用したまな板シートの吊り下げ状態を説明するための模式図である。
【図５】従来のまな板シートを説明するための模式図である。
【発明を実施するための形態】
【００１８】
以下、本発明の実施の形態を図面を参酌しながら説明し、本発明の理解に供する。
【００１９】
図１は本発明を適用したまな板シートの一例を説明するための平面模式図である。
【００２０】
ここで示すまな板シート１は、柔軟性を有し、かつ熱湯などの高温で変形することがない熱可塑性合成樹脂素材で形成されたシート本体２と、このシート本体２に開口された所定大きさの穴部３とから構成されている。
【００２１】
ここで、シート本体２の上端中央に半円形状の突起部４が形成されると共に、その上端両側端に丸みを帯びた半円形状の突起部４Ａが形成されている。
【００２２】
また、シート本体２の下端が丸みを帯びた曲線形状を有し、その両側端に丸みを帯びた半円形状の突起部４Ｂが形成されている。
【００２３】
また、突起部４Ａと突起部４Ｂとの間は丸みを帯びた曲線形状に形成されている。
更に、シート本体２の少なくとも一方の面が赤色とされると共に、この面に郵便ポストを表すものとして、「ひさし」、「投入口」、「ＰＯＳＴ」、「郵便取り出し口」等の絵柄５が白色で印刷されている。
【００２４】
即ち、本実施の形態のまな板シート１では、シート本体２の周縁が丸みを帯びた曲線でポスト形状に形成されると共にポストを表す絵柄５が印刷され、全体として郵便ポストをイメージさせるデザインが施されている。
【００２５】
更に、シート本体２の上下方向に沿って定規部６が印刷されている。この定規部６は、例えば１ｃｍ間隔で２０ｃｍ長さの目盛りが付されている。
【００２６】
また、シート本体２の下部中央には、円形状の穴部３が開口されている。この穴部３は、例えばパスタ１人分のパスタＡが挿通できる穴径とされており、パスタの計量用として活用することができる。
【００２７】
また、穴部３は流し台回りの壁に取付けられたフック（図示せず。）に挿し通して吊り下げることもできる構成とされている。
【００２８】
なお、本実施例ではシート本体２は、単体の合成樹脂板にポスト等の絵柄や定規を印刷するものであるが、必ずしも単体の合成樹脂板に印刷を施す必要はない。
【００２９】
例えば、強耐切断製素材で形成される合成樹脂シート上に定規及び絵柄等の印刷を施し、この合成樹脂シート上に包丁の歯先が滑らないように柔軟な合成樹脂シートが積層された構成であっても構わない。このような２槽構造とすることで定規及び絵柄等の印刷が包丁の歯先によって削り取られることがなく、かつ衛生的となる。
【００３０】
また、本実施例では穴部３がシート本体２の下部中央に開口された場合を例に挙げて説明を行っているが、穴部３の形成位置は必ずしもシート本体２の下部中央である必要はない。但し、穴部３の形成位置は、食材を切断する領域としての利用ができず、即ち、まな板シートの本来的な利用ができない領域となるために、シート本体２の上方や下方といった、食材を切断する作業に支障が生じない位置であることが好ましい。
【００３１】
また、本実施例ではシート本体に定規部の印刷を施すものであるが、必ずしも定規部を設ける必要性はない。
【００３２】
以上の構成よりなる本発明のまな板シートは、図２に示すように、まな板７上面に載置して使用する。
【００３３】
ここで、シート本体２面に印刷された定規部６手前に食材（例えば、野菜。図示せず）を置き、包丁（図示せず。）の歯先が定規部６の目盛りに対して直角となるように切断作業を行うことで、極めて容易に食材を一定大きさに切断することができる。
【００３４】
なお、まな板７上面よりまな板シート１を取り剥がす場合には、シート本体２の周縁に沿って形成された複数の突起部４、４Ａ、４Ｂを指で摘まんで引き揚げることで、まな板７から容易にまな板シート１を剥がすことができる。
【００３５】
また、それぞれの突起部４、４Ａ、４Ｂが丸みを帯びていることで、指で摘む際に指や手の皮膚を傷つけることがなく、安全にまな板７からまな板シート１を剥がすことができる。
【００３６】
ここで、本実施の形態では、まな板シート１をまな板７の上に載置して使用する場合を例に挙げて説明を行っているが、まな板７の上に載置することなく使用しても良いことは勿論である。
【００３７】
また、本発明のまな板シート１では、図３に示す様に、穴部３にパスタＡを押し当てて、パスタＡを穴部３に挿通することで、パスタＡの分量を容易に量ることができる。即ち、穴部３を挿通した分量が１人分のパスタであり、１人分の分量が必要な場合には１回の挿通量を利用すれば良く、２人分の分量が必要な場合には２回の挿通量を利用すれば良い、といった具合に極めて容易にパスタの分量を量ることが可能となる。
【００３８】
更に、穴部３を利用して、図４に示す様に、キッチン回りの壁面Ｂに取付けたフックＣにまな板シート１を吊り下げることが可能である。こうすることで、未使用時の片付けが容易であると共に、まな板シート１を充分に乾燥することができ衛生的にも好ましい状態を確保することが可能となる。
【符号の説明】
【００３９】
１      まな板シート
２      シート本体
３      穴部
４、４Ａ、４Ｂ  突起部
５      絵柄
６      定規部
７      まな板
【図１】
2013039263.tif 000003
【図２】
2013039263.tif 000004
【図３】
2013039263.tif 000005
【図４】
2013039263.tif 000006
【図５】
2013039263.tif 000007